(57)【特許請求の範囲】
【請求項１】
固定座と、該固定座に取り付けられる第一段階回転部材とを備えるベースと、
後端が前記ベースに枢設される第一ケースと、該第一ケースに設置される第二段階回転部材とを備え、前記ベースに枢設され、前記第一段階回転部材に駆動される第一回転ケースと、
後端が前記第一ケースの前端に枢設される第二ケースを備え、前記第一回転ケースに枢設され、第二段階回転部材に駆動され、該第一回転ケースの下面に折り畳み可能である第二回転ケースと、を有し、
前記第一段階回転部材は、固定座に配置される第一段階直流機と、
それぞれ、該固定座に取り付けられるケースと、第一段階直流機に駆動される第一段階ウォーム歯車と、該第一段階ウォーム歯車と噛み合う第一段階ウォームと、該第一段階ウォームに同軸に設けられる小ギアと、該小ギアと噛み合う大ギアと、該大ギアに延設される回転軸とを備えると共に、該固定座の両側に配置される２つのギア部材と、
第一ケースの後端各側と対応するギア部材との間に取り付けられると共に、それぞれ回転軸により駆動される２つの第一段階角度調整器とを有し、
前記第二段階回転部材は、第一ケースの後端に配置される第二段階直流機と、該第一ケースの両端に配置される２つの二級ウォーム部材と、２つの第二段階角度調整器とを備え、
その内、該各二級ウォーム部材は、第二段階直流機に駆動される第二段階第一ウォ−ムと、該第二段階第一ウォ−ムと噛み合う第二段階第一ウォ−ムギアと、該第二段階第一ウォ−ムギアに同軸に延設される第二段階第二ウォ−ムと、該第二段階第二ウォ−ムと噛み合う第二段階第二ウォ−ムギアと、該第二段階第二ウォ−ムギアに同軸に延設される駆動輪と、該第一ケースの前端に回転可能に設置される従動輪と、該駆動輪及び従動輪に巻回されるベルトと、該従動輪に同軸に設けられる伝動軸とを有し、
該第二段階角度調整器は、第二ケースの後端両側と第一ケースとの間にそれぞれ取り付けられ、伝動軸により駆動されることを特徴とする折り畳み式オットマン装置。
【請求項２】
前記第一回転ケースと第二回転ケースとの間に支持フレームが枢設されることを特徴とする請求項１に記載の折り畳み式オットマン装置。
【請求項３】
前記支持フレームは、２つの支持足部を備え、該各支持足部の上端にキャップが取り付けられ、該キャップは、伝動軸をカバーするように、第一ケースと第二ケースとの枢設部分に取り付けられ、内側底面に当接ブロックが凸設され、
前記伝動軸の一端に押圧ブロックが周設され、該押圧ブロックが伝動軸と連動して回転し、その回転によって、押圧ブロックがキャップの当接ブロックに当接可能であることを特徴とする請求項２に記載の折り畳み式オットマン装置。
【請求項４】
前記キャップの開口縁部に凹部が凹設され、該凹部の両端にそれぞれ当接側壁が形成され、
前記伝動軸と連動しないように該伝動軸の一端にリングが環設され、該リングの外周面に凸部が凸設され、該凸部がキャップの凹部の当接側壁に当接可能であることを特徴とする請求項３に記載の折り畳み式オットマン装置。
【請求項５】
足置き台が第二回転ケースに枢設されることを特徴とする請求項１乃至４の何れか１項に記載の折り畳み式オットマン装置。
【請求項６】
前記第二ケースに第三段階回転部材が設置され、該第三段階回転部材は、第三段階直流機と、２つの後部第三段階第一ウォ−ムと、２つの前部第三段階第一ウォ−ムと、２つの第三段階可撓軸とを有し、該第三段階直流機は、該第二ケースの後端に配置され、該後部第三段階第一ウォ−ムはそれぞれ、該第二ケースの後端両側に設置され、該第三段階直流機に駆動される第三階段後ウォームと、該第三階段後ウォームと噛み合うように、該第三段階可撓軸の一端に連結される第三階段後ウォームギアとを備え、該前部第三段階第一ウォ−ムはそれぞれ、該第二ケースの前端両側に設置され、該第三段階可撓軸の他端に連結される第三段階ウォームと、該第三段階ウォームと噛み合う第三段階ウォームギアと、軸体及び該軸体の一端に設けられる歯車を有すると共に、該歯車が第三段階ウォームギアと噛み合う伝動軸とを備え、該第三段階可撓軸はそれぞれ、該後部第三段階第一ウォ−ム及び前部第三段階第一ウォ−ムを連動させ、
前記足置き台は、後端両側の近傍にそれぞれ連結アームが設けられ、該連結アームは、前記第二回転ケースの前端の伝動軸に固定されることを特徴とする請求項５に記載の折り畳み式オットマン装置。
【請求項７】
前記ケースのうち一方のケースの一内側壁に２つの第一接触スイッチが間隔をおいて取り付けられ、
第二当接部は、回転軸の回転によりそれら第一接触スイッチの一つに接触することを特徴とする請求項１乃至４の何れか１項に記載の折り畳み式オットマン装置。
【請求項８】
前記第一ケースの後端一側における二級ウォーム部材に２つの接触検知スイッチが設置され、
前記接触検知スイッチの近傍に設置されるように、駆動輪に同軸に延設されるネジ棒が設けられ、該ネジ棒に長手方向に沿って移動自在なナットが螺合され、該ナットの外周面に接触タブが延設され、該接触タブは、該２つの接触検知スイッチとの間に介在すると共に、ナットの螺旋移動によりそれら接触検知スイッチのいずれかと接触することを特徴とする請求項１乃至４に記載の折り畳み式オットマン装置。
【請求項９】
前記第二ケースの底面において、一方の前部第三段階第一ウォ−ムの近傍に第三段階接触検知スイッチが取り付けられ、第三段階直流機の近傍に第三段階接触検知スイッチＡが取り付けられ、
前記足置き台の一方の連結アームに止め凸部が延設され、該止め凸部は第三段階接触検知スイッチと接触可能であり、また、該足置き台が第二回転ケースの底面に向かって折り畳まれた時に他方の連結アームが第三段階接触検知スイッチに接触可能であることを特徴とする請求項６に記載の折り畳み式オットマン装置。
【発明の詳細な説明】
【技術分野】
【０００１】
本発明は、椅子に関し、特に椅子やソファーの前に取り付ける足乗せ用の折り畳み式オットマン装置に関するものである。
【背景技術】
【０００２】
椅子は、人が座る際に人間の重さを支えるものである。既存の椅子は、座部と、背もたれとを有し、その背もたれは座る人のニーズに応じて傾斜角度が調整可能なものである。
【０００３】
しかしながら、例えば、長時間自動車での旅行等で、人間が椅子に長時間座り、足を長時間曲げることで、筋肉の疲労及び足の痛みや浮腫みを引き起こすおそれがあった。
【発明の概要】
【発明が解決しようとする課題】
【０００４】
既存の椅子は、座部及び背もたれを有するが、長時間自動車に乗る場合等、長時間座席に座る場合、足を曲げたままで、痛み又は浮腫みを引き起こすという問題があった。この問題を解決するために、本発明に係る折り畳み式オットマン装置を開発し、長時間座席に座っていても足を伸ばすことができ、リラックスできる折り畳み式オットマン装置を提供する。
【課題を解決するための手段】
【０００５】
上述した問題を解決するために、本発明に係る折り畳み式オットマン装置は、固定座と、該固定座に取り付けられる第一段階回転部材とを備えるベースと、
後端が前記ベースに枢設される第一ケースと、該第一ケースに設置される第二段階回転部材とを備え、前記ベースに枢設され、前記第一段階回転部材に駆動される第一回転ケースと、
後端が前記第一ケースの前端に枢設される第二ケースを備え、前記第一回転ケースに枢設され、第二段階回転部材に駆動され、該第一回転ケースの下面に折り畳み可能である第二回転ケースと、を有するものである。
【０００６】
前記第一段階回転部材は、固定座に配置される第一段階直流機と、
それぞれ、該固定座に取り付けられるケースと、第一段階直流機に駆動される第一段階ウォーム歯車と、該第一段階ウォーム歯車と噛み合う第一段階ウォームと、該第一段階ウォームに同軸に設けられる小ギアと、該小ギアと噛み合う大ギアと、該大ギアに延設される回転軸とを備えると共に、該固定座の両側に配置される２つのギア部材と、
第一ケースの後端各側と対応するギア部材との間に取り付けられると共に、それぞれ回転軸により駆動される２つの第一段階角度調整器とを有することが好ましい。
【０００７】
前記第二段階回転部材は、第一ケースの後端に配置される第二段階直流機と、該第一ケースの両端に配置される２つの二級ウォーム部材と、２つの第二段階角度調整器とを備え、
その内、該各二級ウォーム部材は、第二段階直流機に駆動される第二段階第一ウォ−ムと、該第二段階第一ウォ−ムと噛み合う第二段階第一ウォ−ムギアと、該第二段階第一ウォ−ムギアに同軸に延設される第二段階第二ウォ−ムと、該第二段階第二ウォ−ムと噛み合う第二段階第二ウォ−ムギアと、該第二段階第二ウォ−ムギアに同軸に延設される駆動輪と、該第一ケースの前端に回転可能に設置される従動輪と、該駆動輪及び従動輪に巻回されるベルトと、該従動輪に同軸に設けられる伝動軸とを有し、
該第二段階角度調整器は、第二ケースの後端両側と第一ケースとの間にそれぞれ取り付けられ、伝動軸により駆動されることが好ましい。
【０００８】
前記第一回転ケースと第二回転ケースとの間に支持フレームが枢設される。
【０００９】
前記支持フレームは、２つの支持足部を備え、該各支持足部の上端にキャップが取り付けられ、該キャップは、伝動軸をカバーするように、第一ケースと第二ケースとの枢設部分に取り付けられ、内側底面に当接ブロックが凸設され、
前記伝動軸の一端に押圧ブロックが周設され、該押圧ブロックが伝動軸と連動して回転し、その回転によって、押圧ブロックがキャップの当接ブロックに当接可能である。
【００１０】
前記キャップの開口縁部に凹部が凹設され、該凹部の両端にそれぞれ当接側壁が形成され、
前記伝動軸と連動しないように該伝動軸の一端にリングが環設され、該リングの外周面に凸部が凸設され、該凸部がキャップの凹部の当接側壁に当接可能である。
【００１１】
前記足置き台が第二回転ケースに枢設される。
【００１２】
前記第二ケースに第三段階回転部材が設置され、該第三段階回転部材は、第三段階直流機と、２つの後部第三段階第一ウォ−ムと、２つの前部第三段階第一ウォ−ムと、２つの第三段階可撓軸とを有し、該第三段階直流機は、該第二ケースの後端に配置され、該後部第三段階第一ウォ−ムはそれぞれ、該第二ケースの後端両側に設置され、該第三段階直流機に駆動される第三階段後ウォームと、該第三階段後ウォームと噛み合うように、該第三段階可撓軸の一端に連結される第三階段後ウォームギアとを備え、該前部第三段階第一ウォ−ムはそれぞれ、該第二ケースの前端両側に設置され、該第三段階可撓軸の他端に連結される第三段階ウォームと、該第三段階ウォームと噛み合う第三段階ウォームギアと、軸体及び該軸体の一端に設けられる歯車を有すると共に、該歯車が第三段階ウォームギアと噛み合う伝動軸とを備え、該第三段階可撓軸はそれぞれ、該後部第三段階第一ウォ−ム及び前部第三段階第一ウォ−ムを連動させ、
前記足置き台は、後端両側の近傍にそれぞれ連結アームが設けられ、該連結アームは、前記第二回転ケースの前端の伝動軸に固定されることが好ましい。
【００１３】
前記ケースのうち一方のケースの一内側壁に２つの第一接触スイッチが間隔をおいて取り付けられ、
第二当接部は、回転軸の回転によりそれら第一接触スイッチの一つに接触することが好ましい。
【００１４】
前記第一ケースの後端一側における二級ウォーム部材に２つの接触検知スイッチが設置され、
前記接触検知スイッチの近傍に設置されるように、駆動輪に同軸に延設されるネジ棒が設けられ、該ネジ棒に長手方向に沿って移動自在なナットが螺合され、該ナットの外周面に接触タブが延設され、該接触タブは、該２つの接触検知スイッチとの間に介在すると共に、ナットの螺旋移動によりそれら接触検知スイッチのいずれかと接触することが好ましい。
【００１５】
前記第二ケースの底面において、一方の前部第三段階第一ウォ−ムの近傍に第三段階接触検知スイッチが取り付けられ、第三段階直流機の近傍に第三段階接触検知スイッチが取り付けられ、
前記足置き台の一方の連結アームに止め凸部が延設され、該止め凸部は第三段階接触検知スイッチと接触可能であり、また、該足置き台が第二回転ケースの底面に向かって折り畳まれた時に他方の連結アームが第三段階接触検知スイッチに接触可能である。
【発明の効果】
【００１６】
本発明に係る折り畳み式オットマン装置は、第一回転ケースをベースに対して枢転して展開すると共に、第二回転ケースを第一回転ケースに対して枢転して展開することができるので、使用者の足をオットマン装置に置いて快適に伸ばしてもよく、筋肉の疲労を解消することができる。また、本発明に係る折り畳み式オットマン装置を折り畳んで収納してもよく、車内などの置き場所の空間を節約し、使用上、実用性に優れる。
【図面の簡単な説明】
【００１７】
【図１】本発明に係る折り畳み式オットマン装置を折り畳んだ状態を示す斜視図である。
【図２】本発明に係る折り畳み式オットマン装置を展開した状態を示す斜視図である。
【図３】本発明に係る折り畳み式オットマン装置を展開した状態を示す底面視斜視図である。
【図４】本発明に係る折り畳み式オットマン装置におけるベースを示す斜視図である。
【図５】本発明に係る折り畳み式オットマン装置におけるベースの部分拡大斜視図である。
【図６】本発明に係る折り畳み式オットマン装置における第二段階回転部材の部分拡大斜視図である。
【図７】本発明に係る折り畳み式オットマン装置における第二段階回転部材の部分拡大斜視図である。
【図８】本発明に係る折り畳み式オットマン装置における第二段階回転部材の部分拡大斜視図である。
【図９】本発明に係る折り畳み式オットマン装置における第三段階回転部材及び足置き台の斜視図である。
【図１０】本発明に係る折り畳み式オットマン装置における第三段階回転部材の部分拡大分解図である。
【図１１】本発明に係る折り畳み式オットマン装置における伝動軸及び支持フレームを示す部分分解斜視図である。
【図１２】本発明に係る折り畳み式オットマン装置を折り畳んだ状態を示す側面図である。
【図１３】本発明に係る折り畳み式オットマン装置の第二回転ケースを展開途中の状態を示す側面図である。
【図１４】本発明に係る折り畳み式オットマン装置を完全に展開した状態を示す側面図である。
【発明を実施するための形態】
【００１８】
以下、添付図面を参照して本発明の適切な実施の形態を詳細に説明する。
【００１９】
図１乃至図３に示すように、本発明に係る折り畳み式オットマン装置は、ベース１０と、第一回転ケース２０と、第二回転ケース３０と、支持フレーム４０と、足置き台５０とを有する。
【００２０】
前記ベース１０は、椅子やソファなどの座席の前側に取り付けられ、固定座１１及び第一段階回転部材を備え、該第一段階回転部材は、固定座１１に取り付けられ、第一段階直流機１２と、２つのギア部材１３と、２つの第一段階角度調整器１４を有し、該第一段階直流機１２は、固定座１１の中央に配置され、両端にそれぞれ可撓軸１２１が設置される。
【００２１】
図４及び図５に示すように、前記ギア部材１３はそれぞれ、固定座１１の両側にそれぞれ配置され、該各ギア部材１３は、前記固定座１１の一側に取り付けられるケース１３１、１３１Ａと、前記可撓軸１２１により駆動される第一段階ウォーム歯車１３２と、該第一段階ウォーム歯車１３２と噛み合う第一段階ウォーム１３３と、該第一段階ウォーム１３３の一側中心に同軸に設けられる小ギア１３４と、該小ギア１３４と噛み合う大ギア１３５と、該大ギア１３５に同軸に延設される回転軸１３６、１３６Ａとを有する。なお、一方のギア部材１３におけるケース１３１の内側壁には、ストッパ１３７が取り付けられる。
【００２２】
さらに、該一方のギア部材１３の回転軸１３６に第一当接部１３８が周設され、該第一当接部１３８は、回転軸１３６の回転によりストッパ１３７の上部または下部に当接する。図２に示すように、他方のギア部材１３の回転軸１３６Ａには、第二当接部１３８Ａが周設され、該他方のギア部材１３のケース１３１Ａの内側壁に２つの第一接触スイッチ１３９、１３９Ａが間隔をおいて取り付けられ、該第二当接部１３８Ａは、回転軸１３６Ａの回転により第一接触スイッチ１３９または第一接触スイッチ１３９Ａに接触する。
【００２３】
図２及び図５に示すように、前記第一回転ケース２０は、ベース１０に枢設されると共に、第一段階回転部材に駆動され、第一ケース２１及び第二段階回転部材を備え、該第一ケース２１の後端が２つのギア部材１３との間に位置して枢設され、該第一ケース２１の後端両側とギア部材１３のケース１３１、１３１Ａとの間それぞれに前記第一段階角度調整器１４が取り付けられ、また、該第一段階角度調整器１４は回転軸１３６，１３６Ａにより駆動され、それにより第一回転ケース２０をベース１０に対して安定して枢転させることが出来る。該第一段階角度調整器１４は現在の自動車分野で周知な技術なので、詳細な説明を省略する。
【００２４】
図６に示すように、前記第二段階回転部材は、第一ケース２１に設置され、第二段階直流機２２と、２つの二級ウォーム部材２３と、２つの第二段階角度調整器２４とを有し、該第二段階直流機２２は、第一ケース２１の後端中央に配置され、両端にそれぞれ可撓軸２２１が設置され、該二級ウォーム部材２３は、第一ケース２１の両端それぞれに配置される。
【００２５】
図６乃至図８に示すように、前記各二級ウォーム部材２３は、第二段階第一ウォ−ム２３１と、第二段階第一ウォ−ムギア２３２と、第二段階第二ウォ−ム２３３と、第二段階第二ウォ−ムギア２３４と、駆動輪２３５と、従動輪２３６と、ベルト２３７と、伝動軸２５とを有し、該第二段階第一ウォ−ム２３１は、可撓軸２２１に連接されて第二段階直流機２２により駆動され、該第二段階第一ウォ−ムギア２３２は、第二段階第一ウォ−ム２３１と噛み合い、該第二段階第二ウォ−ム２３３は、第二段階第一ウォ−ムギア２３２の一端から同軸に延設され、該第二段階第二ウォ−ムギア２３４は、第二段階第二ウォ−ム２３３と噛み合い、該駆動輪２３５は、第二段階第二ウォ−ムギア２３４の一側中心から同軸に延設され、該従動輪２３６は、回転可能に第一ケース２１の前端に設置され、該ベルト２３７は、駆動輪２３５及び従動輪２３６に巻回され、該伝動軸２５は、従動輪２３６の一側に同軸に取り付けられる。
【００２６】
前記二級ウォーム部材２３のうち一方はさらに、接触検知スイッチ２３８、２３８Ａ及びネジ棒２３９を備え、該接触検知スイッチ２３８、２３８Ａは、第一ケース２１の後端一側の二級ウォーム部材２３に設置され、該ネジ棒２３９は、接触検知スイッチ２３８、２３８Ａの近傍に設置されると共に、駆動輪２３５に同軸に延設され、また、該ネジ棒２３９に長手方向に沿って移動自在なナット２３９１が螺合され、該ナット２３９１の外周面に接触タブ２３９２が延設され、該接触タブ２３９２は、該接触検知スイッチ２３８、２３８Ａとの間に介在すると共に、ナット２３９１の螺旋移動により接触検知スイッチ２３８または接触検知スイッチ２３８Ａと接触する。
【００２７】
図２及び図８に示すように、前記第二回転ケース３０は、第一回転ケース２０に枢設され、第二段階回転部材に駆動され、第二ケース３１及び第三段階回転部材を備え、該第二ケース３１の後端は、第一回転ケース２０の第一ケース２１の前端に枢設され、該第二ケース３１の後端両側と第一ケース２１の前端両側との間それぞれに前記第二段階角度調整器２４が取り付けられ、該第二段階角度調整器２４は伝動軸２５により駆動され、それにより第二回転ケース３０が第一回転ケース２０に対して安定して枢転すると共に、第二回転ケース３０を第一回転ケース２０の下面に折り畳むことができる。
【００２８】
図９に示すように、前記第三段階回転部材は、第二ケース３１に設置され、第三段階直流機３２と、２つの後部第三段階第一ウォ−ム３３と、２つの前部第三段階第一ウォ−ム３４と、２つの第三段階可撓軸３５とを有し、該第三段階直流機３２は、第二ケース３１の後端中央に配置され、両端にそれぞれ可撓軸３２１が設けられ、該後部第三段階第一ウォ−ム３３はそれぞれ、第二ケース３１の後端両側に設置され、該前部第三段階第一ウォ−ム３４はそれぞれ、第二ケース３１の前端両側に設置され、該第三段階可撓軸３５はそれぞれ、該後部第三段階第一ウォ−ム３３及び前部第三段階第一ウォ−ム３４を連動させる。
【００２９】
図１０に示すように、前記各後部第三段階第一ウォ−ム３３は、第三階段後ウォーム３３１及び第三階段後ウォームギア３３２を備え、該第三階段後ウォーム３３１は、可撓軸３２１に連接されて第三段階直流機３２により駆動され、該第三階段後ウォームギア３３２は、第三階段後ウォーム３３１と噛み合い、第三段階可撓軸３５の一端に連結される。前記各前部第三段階第一ウォ−ム３４は、第三段階ウォーム３４１と、第三段階ウォームギア３４２と、第三段階ギア３４３と、伝動軸３４４とを備え、該第三段階ウォーム３４１は、第三段階可撓軸３５の他端に連結され、該第三段階ウォームギア３４２は、第三段階ウォーム３４１と噛み合い、該第三段階ギア３４３は、第三段階ウォームギア３４２の一側中央に同軸に設けられ、該伝動軸３４４は、軸体及び該軸体の一端に設けられる歯車を備え、該歯車が第三段階ギア３４３と噛み合う。
【００３０】
図３に示すように、前記第二ケース３１の底面において、一方の前部第三段階第一ウォ−ム３４の近傍に第三段階接触検知スイッチ３６が取り付けられ、第三段階直流機３２の近傍に第三段階接触検知スイッチ３６Ａが取り付けられる。
【００３１】
図２及び図１１に示すように、前記支持フレーム４０は、第一回転ケース２０と第二回転ケース３０との間に枢設され、２つの支持足部４１及び連結リンク４２を備え、該各支持足部４１は、上端にキャップ４１１が取り付けられ、下端に回転可能な輪部４１２が取り付けられ、該連結リンク４２は、該２つの支持足部４１の間に設置され、両端がそれぞれ該２つの支持足部４１の下端近傍に連結される。
【００３２】
前記キャップ４１１は、伝動軸２５をカバーするように、第一ケース２１と第二ケース３１との枢設部分に取り付けられる。キャップ４１１は、その内側底面に当接ブロック４１３が凸設され、開口縁部に凹部４１４が凹設され、該凹部４１４の両端にそれぞれ当接側壁が形成される。前記各伝動軸２５は、一端に押圧ブロック２５１が周設され、該押圧ブロック２５１が伝動軸２５と連動して回転し、その回転によって、該押圧ブロック２５１をキャップ４１１の当接ブロック４１３に当接させることができる。該各伝動軸２５の一端には、ベアリングが環設され、該ベアリングにリング２５２が環設される。この構造のため、該リング２５２が伝動軸２５と連動することはなく、また、該リング２５２の外周面に凸部２５３が凸設され、該凸部２５３をキャップ４１１の凹部４１４の当接側壁に当接させることができる。
【００３３】
図２及び図９に示すように、前記足置き台５０は、第二回転ケース３０に枢設され、足置き台５０の後端両側にそれぞれ連結アーム５１が延設され、該連結アーム５１はそれぞれ、第二ケース３１の前端の伝動軸３４４に取り付けられ、その伝動軸３４４を駆動させると、足置き台５０が第二回転ケース３０に対して回転して、足置き台５０が第二回転ケース３０の底面に向かって折り畳まれ第三段階接触検知スイッチ３６Ａと接触することができる。一方の連結アーム５１に止め凸部５１１が延設され、該止め凸部５１１が第三段階接触検知スイッチ３６と接触することができる。
【００３４】
図１、図５及び図１２に示すように、本発明に係る折り畳み式オットマン装置を展開して使用する場合、第一段階直流機１２を駆動して第一段階ウォーム歯車１３２を回転させ、この第一段階ウォーム歯車１３２の回転により、第一段階ウォーム１３３、小ギア１３４、大ギア１３５、回転軸１３６を順次に連動して第一段階角度調整器１４を駆動して回転させ、それにより第一回転ケース２０をベース１０に対して枢転して展開させることができる。
【００３５】
図２及び図４に示すように、第一回転ケース２０をベース１０に対して枢転させる場合、一方の回転軸１３６の回転により第一当接部１３８を回転させ、他方の回転軸１３６Ａの回転により第二当接部１３８Ａを回転させる。さらに、第一回転ケース２０がベース１０に対して９０度回転すると、第一当接部１３８がストッパ１３７の上部に当接すると共に、第二当接部１３８Ａが一方の第一接触スイッチ１３９に接触する。この第二当接部１３８Ａが第一接触スイッチ１３９に接触すると、第一接触スイッチ１３９に接続された電気回路が検知されて、該電気回路がループ回路になっているか、すなわち第一回転ケース２０の９０度の回転が完了したかがチェックされる。
【００３６】
図６乃至図８に示すように、第二回転ケース３０を第一回転ケース２０に対して回転させる場合、第二段階直流機２２を駆動して可撓軸２２１を介して第二段階第一ウォ−ム２３１を回転させ、この第二段階第一ウォ−ム２３１の回転により、第二段階第一ウォ−ムギア２３２、第二段階第二ウォ−ム２３３、第二段階第二ウォ−ムギア２３４、駆動輪２３５を順次に連動して回動させ、該駆動輪２３５がベルト２３７を介して従動輪２３６及び伝動軸２５を回転させ、それにより第二回転ケース３０を第一回転ケース２０に対して枢転して展開させることができる。
【００３７】
図１１及び図１３に示すように、第二回転ケース３０が第一回転ケース２０に対して前方に向かって０度から９０度に回転している間は、伝動軸２５の押圧ブロック２５１が支持足部４１の当接ブロック４１３に当接していない状態であり、第二回転ケース３０が第一回転ケース２０に対して前方に向かって９０度から１８０度に回転している間は、伝動軸２５の押圧ブロック２５１が支持足部４１の当接ブロック４１３に当接して、支持フレーム４０が第一回転ケース２０に対して前方に向かって回転する。
【００３８】
図６に示すように、第二回転ケース３０を第一回転ケース２０に対して枢転する場合は、ネジ棒２３９を回転させることによって、ナット２３９１を軸方向に沿って移動させる。図１４に示すように、第二回転ケース３０を第一回転ケース２０に対して前方に向かって１８０度になるように回転させると共に、支持フレーム４０を第一回転ケース２０に対して前方に向かって９０度になるように回転させると、ナット２３９１の接触タブ２３９２が接触検知スイッチ２３８と接触し、この時、該接触検知スイッチ２３８に接続された電気回路が検知されて、該電気回路がループ回路になっているか、すなわち第二回転ケース３０の１８０度の回転が完了したかどうかがチェックされる。さらに、その第二回転ケース３０が完全に展開すると、伝動軸２５のリング２５２の凸部２５３が一方の支持足部４１の凹部４１４の当接側壁に当接する。
【００３９】
図９、図１０及び図１４に示すように、第三段階直流機３２を駆動して第三階段後ウォーム３３１を回転させ、この第三階段後ウォーム３３１の回転により、第三階段後ウォームギア３３２、第三段階可撓軸３５、第三段階ウォーム３４１、第三段階ウォームギア３４２、第三段階ギア３４３、伝動軸３４４が順次連動して回転すると、足置き台５０が第二回転ケース３０に対して展開する。この足置き台５０を第二回転ケース３０に対して展開すると、連結アーム５１の止め凸部５１１が第三段階接触検知スイッチ３６に接触し、足置き台５０の回転が止まる。この時、その第三段階接触検知スイッチ３６に接続された電気回路が検知されて、該電気回路がループ回路になっているか、すなわち、足置き台５０が完全に展開したかどうかがチェックされる。
【００４０】
本発明に係る折り畳み式オットマン装置は、三段階式の折り畳み構造を有するので、オットマンの長さを伸長し、使用者が足を第一回転ケース２０及び第二回転ケース３０に置きながら、足裏で足置き台５０を踏むことができるので、筋肉の疲労が減少し、快適になる。また、その第一回転ケース２０及び第二回転ケース３０にさらにスポンジパッドを設置すれば、オットマン装置の使い心地がよくなる。また、本発明に係る折り畳み式オットマン装置は、支持フレーム４０を備えることから、支持フレーム４０を地面に着けて立てれば、オットマン装置を変形することなく、安定して展開することができる。
【００４１】
図３に示すように、本発明に係る折り畳み式オットマン装置を折り畳んで収納する場合には、第三段階直流機３２を駆動して足置き台５０を第二回転ケース３０の下面に向かって回転させて折り畳む。足置き台５０が第二回転ケース３０の下面に向かって接近し、第三段階接触検知スイッチ３６Ａと接触すると、足置き台５０の収納が完了する。
【００４２】
図６及び図１１に示すように、第二段階直流機２２を駆動して第二回転ケース３０を第一回転ケース２０の下面に向かって回転させて折り畳む。第二回転ケース３０が第一回転ケース２０に対して後方に向かって０度から９０度に回転している間は、伝動軸２５の押圧ブロック２５１は支持足部４１の当接ブロック４１３に当接しない。第二回転ケース３０が第一回転ケース２０に対して後方に向かって９０度から１８０度に回転している間は、伝動軸２５の押圧ブロック２５１は支持足部４１の当接ブロック４１３に当接し、その後、支持フレーム４０が第一回転ケース２０に対して後方に向かって回転する。
【００４３】
また、ネジ棒２３９を回転することによって、ナット２３９１が移動して、接触タブ２３９２が接触検知スイッチ２３８Ａに接触すると、第二回転ケース３０及び支持フレーム４０の収納が完了する。
【００４４】
図１及び図４に示すように、第一段階直流機１２を駆動して第一回転ケース２０を後方へ回転させて折り畳む。一方の回転軸１３６を回転させることにより第一当接部１３８がストッパ１３７に接触すると共に、他方の回転軸１３６Ａを回転させることにより第二当接部１３８Ａが第一接触スイッチ１３９Ａに接触すると、第一回転ケース２０が完全に折り畳まれて収納される。
【００４５】
上述したように、本発明に係る折り畳み式オットマン装置において、展開した場合は、使用者が足を伸ばして、筋肉の疲労を解消することができ、折り畳んで収納した場合には、オットマン装置の体積が小さくなり、車内の空間を節約することから、使用上、優れた実用性を有する。
【産業上の利用可能性】
【００４６】
上述したように、本発明に係る折り畳み式オットマン装置においては、第一回転ケースがベースに対して枢転して展開すると共に、第二回転ケースが第一回転ケースに対して枢転して展開することができるので、使用者が足をオットマン装置に置いて快適に伸ばしてもよく、筋肉の疲労を解消することができる。また、本発明に係る折り畳み式オットマン装置を折り畳んで収納してもよく、車内などの置き場所の空間を節約し、使用上、実用性に優れる。
【符号の説明】
【００４７】
１０              ベース
１１              固定座
１２              第一段階直流機
１２１            可撓軸
１３              ギア部材
１３１、１３１Ａ  ケース
１３２            第一段階ウォーム歯車
１３３            第一段階ウォーム
１３４            小ギア
１３５            大ギア
１３６、１３６Ａ  回転軸
１３７            ストッパ
１３８            第一当接部
１３８Ａ          第二当接部
１３９、１３９Ａ  第一接触スイッチ
１４              第一段階角度調整器
２０              第一回転ケース
２１              第一ケース
２２              第二段階直流機
２２１            可撓軸
２３              二級ウォーム部材
２３１            第二段階第一ウォ−ム
２３２            第二段階第一ウォ−ムギア
２３３            第二段階第二ウォ−ム
２３４            第二段階第二ウォ−ムギア
２３５            駆動輪
２３６            従動輪
２３７            ベルト
２３８、２３８Ａ  接触検知スイッチ
２３９            ネジ棒
２３９１          ナット
２３９２          接触タブ
２４              第二段階角度調整器
２５              伝動軸
２５１            押圧ブロック
２５２            リング
２５３            凸部
３０              第二回転ケース
３１              第二ケース
３２              第三段階直流機
３２１            可撓軸
３３              後部第三段階第一ウォ−ム
３３１            第三階段後ウォーム
３３２            第三階段後ウォームギア
３４              前部第三段階第一ウォ−ム
３４１            第三段階ウォーム
３４２            第三段階ウォームギア
３４３            第三段階ギア
３４４            伝動軸
３５              第三段階可撓軸
３６、３６Ａ      第三段階接触検知スイッチ
４０              支持フレーム
４１              支持足部
４１１            キャップ
４１２            輪部
４１３            当接ブロック
４１４            凹部
４２              連結リンク
５０              足置き台
５１              連結アーム
５１１            止め凸部
【図１】
0005491575.tif 000002
【図２】
0005491575.tif 000003
【図３】
0005491575.tif 000004
【図４】
0005491575.tif 000005
【図５】
0005491575.tif 000006
【図６】
0005491575.tif 000007
【図７】
0005491575.tif 000008
【図８】
0005491575.tif 000009
【図９】
0005491575.tif 000010
【図１０】
0005491575.tif 000011
【図１１】
0005491575.tif 000012
【図１２】
0005491575.tif 000013
【図１３】
0005491575.tif 000014
【図１４】
0005491575.tif 000015